(57)【特許請求の範囲】
【請求項１】
打込み機で使用するための第１および第２の留め具用の収容部材であって、当該収容部材は収容ベース体（４）と当該第１の留め具（２）用の収容領域（６）と接続突起（１５）とを備え、当該接続突起は当該第２の留め具と一緒に使用することで、ヒンジ状に、鎖接続状に、および／または枢動式に収容部材（１）を第２の収容部材（２１）に接続するものに於いて、
前記第１の留め具（２）用の前記収容領域（６）は前記収容ベース体（４）を貫通して延在している中央貫通孔（５）であり、
当該接続突起（１５）は、当該第２の留め具用の、および／または当該第２の収容部材用の、戻り止めおよび／またはスナップ嵌め収容部分（１６、２６）を有する、ことを特徴とする収容部材。
【請求項２】
前記第１の留め具（２）用の前記収容領域（６）は、第３の収容部材用の、戻り止めおよび／またはスナップ嵌め収容部分用の収容領域（８）を備える、ことを特徴とする請求項１に記載の収容部材。
【請求項３】
前記収容領域（８）は、前記戻り止めおよび／またはスナップ嵌め収容部分（１６、２６）よりも大きい、ことを特徴とする請求項２に記載の収容部材。
【請求項４】
前記収容ベース体（４）は、直線の円形円筒形の形状であり、前記第３の収容部材の前記戻り止めおよび／またはスナップ嵌め収容部分用の前記収容領域（８）によって中断されている、ことを特徴とする請求項２に記載の収容部材。
【請求項５】
前記収容ベース体（４）は、前記第３の収容部材用の前記戻り止めおよび／またはスナップ嵌め収容部分用の前記収容領域（８）によって２つの半体（１１、１２）に分割され、これら半体は接続タブ（１４）によって互いに接続されている、ことを特徴とする請求項２乃至４のいずれか１つに記載の収容部材。
【請求項６】
前記戻り止めおよび／またはスナップ嵌め収容部分（１６、２６）は、前記接続タブ（１４）から発端している、ことを特徴とする請求項５に記載の収容部材。
【請求項７】
前記戻り止めおよび／またはスナップ嵌め収容部分（１６、２６）および前記接続タブ（１４）は、スペーサピース（１８）によって互いに接続されて一体の部材を形成している、ことを特徴とする請求項６に記載の収容部材。
【請求項８】
前記戻り止めおよび／またはスナップ嵌め収容部分（１６、２６）は、環状の円弧の形状であり、前記第２の留め具（２）および／または前記第２の収容部材を部分的に包囲している、ことを特徴とする請求項１乃至７のいずれか１項に記載の収容部材。
【請求項９】
前記戻り止めおよび／またはスナップ嵌め収容部分（１６、２６）の２つの自由端部は、互いに所定の間隔をおいて配置されており、前記間隔は、前記留め具（２）の外径よりも大きく、および／または前記収容領域（６）の外径よりも小さい、ことを特徴とする請求項１乃至８のいずれか１項に記載の収容部材。
【請求項１０】
前記戻り止めおよび／またはスナップ嵌め収容部分（１６、２６）の内径は、前記留め具（２）の外径および／または前記収容領域（６）の外径に相当する、ことを特徴とする請求項１乃至９のいずれか１項に記載の収容部材。
【請求項１１】
前記収容部材（１、２１）は、プラスチック製の射出成型部材である、ことを特徴とする請求項１乃至１０のいずれか１項に記載の収容部材。
【請求項１２】
請求項１乃至１１のいずれか１項に記載の収容部材（１、２１）によってヒンジ状、鎖接続状、および／または枢動式に接続されている複数の留め具（２）を有する留め具格納用マガジンストリップ。
【請求項１３】
前記留め具格納用マガジンストリップの前記収容部材（１、２１）は同一に構成されている、ことを特徴とする請求項１２に記載の留め具格納用マガジンストリップ。
【請求項１４】
前記留め具用マガジン格納ストリップの前記留め具（２）は同一に構成されている、ことを特徴とする請求項１２または１３に記載の留め具格納用マガジンストリップ。
【発明の詳細な説明】
【技術分野】
【０００１】
本発明は、打込み機で使用される収容部材に関する。収容部材は第１および第２の留め具用であって、第１の収容部材は留め具用の収容領域を有し、第２の留め具と一緒に使用されて、その収容要素を第２の収容要素に枢動できるように接続する接続突起を有する。さらに、本発明は、この収容部材によって互いに枢動式に接続される複数の留め具を備えた、留め具格納用のマガジンストリップにも関する。
【背景技術】
【０００２】
独国特許である特許文献１からは、互いに接続されている複数のストリップ部分によって形成される担持ストリップを有する留め具格納用マガジンストリップが公知となっている。ここで、このストリップ部分は収容領域を有しており、これら収容領域には留め具が設けられている。ここでは、それぞれ２つの互いに隣接するストリップ部分は、鎖接続状に突起手段によって接続されている。
【先行技術文献】
【特許文献】
【０００３】
【特許文献１】独国特許第１０２０００８０４４３６８号明細書
【発明の概要】
【発明が解決しようとする課題】
【０００４】
本発明の目的は、打込み機で使用される留め具の取り扱い、製造、および／または格納を簡略化することである。
【課題を解決するための手段】
【０００５】
打込み機で使用するための第１および第２の留め具用の収容部材であって、これらの収容部材は第１の留め具用の収容領域と接続突起とを備え、この接続突起は、第２の留め具と一緒に使用することで、ヒンジ状に、鎖接続状に、および／または枢動式に、この収容部材を第２の収容部材に接続するものであって、上記目的は、接続突起が、第２の留め具用および／または第２の収容部材用の戻り止めおよび／またはスナップ嵌め収容部分を有することによって達成される。第１の留め具は、たとえば、第１の収容部材の収容領域に設けられる。本発明に係る戻り止めおよび／またはスナップ嵌め収容部分は、第１の収容部材を第２の収容部材に、または第２の留め具に接続する。第２の留め具は、第２の収容部材の収容領域に存在する。本発明の本質的な一態様においては、２つの収容部材は、第１の収容部材の戻り止めおよび／またはスナップ嵌め収容部分把持部が第２の留め具または第２の収容部材を包囲することによって互いに接続される。ここで、戻り止めおよび／または収容部分は、収容部材が破損せずに分離可能なかたちで繰り返し装着できるという利点をもたらす。
【０００６】
収容部材の好ましい一形態では、第１の収容部材の収容領域が、第３の収容部材の戻り止めおよび／またはスナップ嵌め収容部分用の収容領域を有することを特徴とする。第１の収容部材の戻り止めおよび／またはスナップ嵌め収容部分は、第１の収容部材を、第２の収容部材内の第２の留め具に接続するために使用される。第１の収容部材内の収容領域は、第３の収容部材を第１の収容部材に接続するために使用される。収容部材の本発明の構成の結果、それぞれに留め具を収容する収容部材の数がいくつであれ、それぞれを互いに枢動式に接続することができる。
【０００７】
収容部材の別の好ましい一形態では、収容領域が第３の収容部材の戻り止めおよび／またはスナップ嵌め収容部分よりもわずかに大きいことを特徴とする。その結果、一方では、収容部材と各留め具との間の枢動式接続の確立が簡単になる。さらに、収容領域がより大きく寸法取りされているので、２つの収容部材をたがいに対して枢動させることができる。収容領域の大きさによって、たがいに対する収容部材の枢動軸は制限することができる。
【０００８】
収容部材の別の好ましい一形態では、第１の収容部材用の収容領域が、収容ベース体を通って延在する中央貫通孔であることを特徴とする。中央貫通孔の内径は、留め具の外径に相当することが好ましい。
【０００９】
収容部材の別の好ましい一形態では、収容ベース体は真直ぐな円筒形であることを特徴とする。この真直ぐな円筒は、第３の収容部材の戻り止めおよび／またはスナップ嵌め収容部分用の収容領域によって中断される。この収容領域は、スリットの形態であることが好ましい。このスリットは、収容ベース体の長手軸に対して垂直に延在する。
【００１０】
収容部材の別の好ましい一形態では、収容ベース体は、第３の接続要素の戻り止めおよび／またはスナップ嵌め収容部分用の収容領域によって２つの半体に分割されることを特徴とする。これら半体は、接続タブによって互いに接続される。２つの半体は、実質的に真直ぐな円筒形のケーシングの形態である。
【００１１】
収容部材の別の好ましい一形態では、戻り止めおよび／またはスナップ嵌め収容部分は、接続タブから発端することを特徴とする。この戻り止めおよび／またはスナップ嵌め接続は、接続タブから収容ベース体の外径に対して径方向外方に延在する。
【００１２】
収容部材の別の好ましい一形態では、戻り止めおよび／またはスナップ嵌め接続および接続タブが、スペーサ部品によって互いに接続され、一体の部材を形成することを特徴とする。スペーサ部品の長さによって、２つの収容領域要素間の留め具の間の距離と枢動角度が影響を受けるかまたは画定される。
【００１３】
収容部材の別の好ましい一形態では、戻り止めおよび／またはスナップ嵌め接続が円弧状であり、この円弧は、第２の留め具または第２の収容部材を部分的に包囲することを特徴とする。この円弧は、１８０度以上２７０度以下の角度範囲で留め具回りに延在することが好ましい。ここで円弧の長さは、戻り止めおよび／またはスナップ嵌め接続が構成されている材料に合わせて調整されており、それにより、戻り止めおよび／またはスナップ嵌め接続が破損することなく繰り返し留め具に接続できるようになっていることが好ましい。戻り止めおよび／またはスナップ嵌め収容部分が構成されている材料は、弾性素材、特に弾性プラスチック材料であることが好ましい。
【００１４】
収容部材の別の好ましい一形態では、戻り止めおよび／またはスナップ嵌め収容部分の２つの自由端部が互いに所定の距離だけ離れて設けられていることを特徴とする。この距離は、留め具の外径または第２の収容部材の収容領域の外径よりも小さい。その結果、留め具または第２の収容部材の収容領域は、不用意に戻り止めおよび／またはスナップ嵌め収容部分から離脱することがない。戻り止めおよび／またはスナップ嵌め収容部分は、留め具または第２の収容部材の収容領域に対して付勢することができる。
【００１５】
収容部材の別の好ましい一形態では、戻り止めおよび／またはスナップ嵌め収容部分の内径が、留め具または収容領域の外径に相当することを特徴とする。その結果、２つの収容領域間の安定した接続を簡単に実現できる。
【００１６】
収容部材の別の好ましい一形態では、各収容部材は同一に構成されていることを特徴とする。その結果、どんな長さの格納用マガジンストリップでも簡単に製造することができる。
【００１７】
収容部材の別の好ましい一形態は、留め具が同一に構成されていることを特徴とする。それぞれの場合において、留め具は収容部材の収容領域に設けられていることが好ましい。同時に、留め具は、隣接する収容部材の戻り止めおよび／またはスナップ嵌め収容部分によって包囲されている。
【００１８】
収容部材の別の好ましい一形態では、収容部材はプラスチック製の射出成型部分として構成されていることを特徴とする。その結果、収容部材の製造が簡略化される。希望によっては、収容部材の製造中に留め具に重ねて被覆成形することもできる。
【００１９】
本発明はさらに、上記の収容部材によってヒンジ状に、鎖接続に、および／または枢動式に、互いに接続される複数の留め具を有する留め具格納用マガジンストリップにも関する。留め具は、金属製の釘またはボルトであることが好ましい。留め具格納用マガジンストリップにより、例えば、打込み機の使用によって基材に打ち込まれる複数の留め具を蓄えておくことが可能となる。その工程で、留め具は、留め具格納用のマガジンストリップから個別に取り出されることが好ましい。
【００２０】
本発明の追加の利点、特徴および詳細は、図面を参照しながら詳細に説明される様々な実施例の記述から理解される。
【図面の簡単な説明】
【００２１】
【図１】本発明の収容部材を長手方向で示す図である。
【図２】図１の収容部材の斜視図である。
【図３】図１および図２の収容部材を、正面、側面、上面で示す図である。
【図４】留め具によって互いに枢着式に接続されている２つの収容部材の正面図、側面図、および上面図である。
【図５】図４の２つの収容部材を長手方向で示す図である。
【図６】図４および図５の、留め具を備えた２つの収容部材の概略図である。
【図７】２つの収容部材の上面図である。
【図８】２つの収容部材の上面図である。
【発明を実施するための形態】
【００２２】
図１〜図３には、収容部材１の様々な形状が示されている。図４〜図６には、留め具２および第２の収容部材２１とともにこの収容部材１の様々な形状が示されている。
【００２３】
収容部材１および２１は、同一形状に設計されており、留め具２によって枢動式に簡単に接続することで、複数の収容部材および留め具から任意の所望の長さのストリップを形成することができる。ここで、留め具は各々収容部材に付属している。各収容部材は、２つの追加の収容部材に枢動式に接続することができる。
【００２４】
収容部材１は収容ベース体４を備える。この収容ベース体は、中央貫通孔５を有する直管の形状である。中央貫通孔５は、図４ないし図６中符号２で示される、留め具のための収容領域６である。
【００２５】
収容ベース体４は、長手方向中央に、スリットとして構成される収容領域８を備える。収容領域８によって、収容ベース体４は２つの半体１１、１２に分割される。これら半体は、接続タブ１４によって互いに接続されて一体の部材を形成する。
【００２６】
接続タブ１４から、接続突起１５が径方向外方に突出している。接続突起１５は、留め具用の戻り止めおよび／またはスナップ嵌め収容部分１６を有している。スペーサ材１８によって、この留め具用の戻り止めおよび／またはスナップ嵌め収容部分１６は、接続タブ１４に接続されて、一体の部材を形成する。
【００２７】
留め具用の戻り止めおよび／またはスナップ嵌め収容部分１６は環状円弧の形状を持ち、その円弧の内径は留め具の外径に相当する。ここで、戻り止めおよび／またはスナップ嵌め収容部分１６内の環状円弧２０は、一種の嵌合結合体のように、留め具の外径を把持するように寸法取りされ、構成されている。突起要素が、収容部材１と組み合わされると、収容部材１の戻り止めおよび／またはスナップ嵌め収容部分１６は留め具にスナップ嵌めまたは嵌合される。
【００２８】
図４〜図６では、留め具２が収容部材１の収容領域６に収容されている様子が示されている。留め具２は、釘の頭２２と釘の先端部２４とを有する釘として構成されている。釘の頭２２は、収容領域ベース体４の一方の端部に当接する。留め具２は、釘の頭２２から収容ベース体４の中央貫通孔５を通過して延在する。留め具２の釘の先端部２４は、収容ベース体４から延びて出る。留め具２は、その全長の概ね４分の１が収容ベース体４の中に設けられている。
【００２９】
図４〜図６では、さらに、収容部材２の戻り止めおよび／またはスナップ嵌め収容部分２６が、留め具２の外径を囲むことで収容部材２１と留め具２との間に戻り止め接続またはスナップ嵌め接続を形成するように、収容部材１の収容領域８に設けられている。スナップ嵌め接続または戻り止め接続は、破損することなく迅速に解放することができる。所望により、戻り止めおよび／またはスナップ嵌め接続は、解放の際に破壊されるように構成することもできる。
【００３０】
図７には、第１の収容部材３０および第２の収容部材３１が上面図で示されている。それぞれの要素は、プラスチック製の射出成型部材として製造されている。第１の収容部材３０は、不図示の第１の留め具用および戻り止め収容領域３２を有する接続突起３３用の第１の収容領域３２を有している。第２の収容部材３１は、不図示の第２の留め具用の第２の収容領域３５を有し、そして第２の戻り止め収容領域３７を有する接続突起３６を有する。ここで、収容領域３２、３５はそれぞれ、円筒形の第１の収容ベース体３９内に、または円筒形の第２の収容ベース体４０内に、中央貫通孔によって形成されている。ここでは、貫通孔の内径はそれぞれ、不図示の留め具の外径と同一である。
【００３１】
戻り止め収容領域３４、３７は、環状の円弧の形状の第１の戻り止めアーム４１によって、または環状の円弧の形状の第２の戻り止めアームによって形成されている。これらアームはともに概ね２１０度の環状の円弧を形成する。ここでは、環状の円弧の内径は、各収容領域３９、４０の外径と正確に同じ大きさである。このようにして、たとえば第２の戻り止めアーム４２の各自由端部は、収容ベース体３９の外径よりも小さな所定の距離だけ互いに離間している。不図示の実施例の一例において、戻り止め収容領域は、隣接する収容部材の収容領域に対して付勢されており、環状の円弧の内径は各収容ベース体の外径よりも小さくなっている。
【００３２】
矢印３８に沿い第１の収容領域３２が第２の戻り止め収容領域３７と嵌合することによって、第１の収容部材３０を第２の収容部材３１に接続することが可能になる。ここで、第１の収容ベース体３９は、第２の戻り止め収容領域３７またはその第２の戻り止めアーム４２によって包囲されている。このようにして、それぞれ留め具を収容する収容部材の所望の数がどんなものであれ、互いに枢動式に接続させて単体のストリップを形成することができる。ここで、それぞれの場合の枢動軸は、収容ベース体３９の対称軸を通って図７の面に対して垂直に延在し得る。枢動する場合、たとえば、第２の戻り止めアーム４２は、第１の収容ベース体３９の外側に沿って接線方向に摺動する。この場合、ストリップは、たとえば巻き上げられ、必要によってはロールマガジンに挿入される。
【００３３】
図８では、別の実施例の一例である第１の収容部材５０と第２の収容部材５１とが、上面図で描かれている。第１の収容部材５０は、不図示の第１の留め具用の第１の収容領域５２と、戻り止め収容領域５４を備える第２の接続突起５３とを有している。第２の収容部材５１は、不図示の第２の留め具用の第２の収容領域５５と、第２の戻り止め収容領域５７を備える接続突起５６とを有している。ここで、収容領域５２、５５はそれぞれ、円筒形の第１の収容ベース体５９内に、または円筒形の第２の収容ベース体６０内に、中央貫通孔によって形成されている。第１の収容ベース体５９の外側には、第１の突起６３があり、第２の収容ベース体６０の外側には、第２の突起６４がある。戻り止め収容領域５４、５７は、環状の円弧の形状の第１の戻り止めアーム６１または環状の円弧の形態の戻り止めアーム６２によって形成されている。
【００３４】
第１の収容領域５２が第２の戻り止め収容領域５７に嵌合する際には、第１の収容ベース体５９は第２の戻り止め収容領域５７またはその第２の戻り止めアーム６２によって包囲される。この場合、第２の戻り止めアーム６２の自由端部は、突起６３に当接するので、図８の面に対して垂直な軸回りの旋回が効果的に防止される。このようにして、この場合もやはり、留め具をそれぞれ収容する収容部材の所望の数がどんなものであれ、互いに接続させて比較的硬直したストリップを形成することが可能である。この場合、ストリップは、硬く形成されているので取り扱いが容易である。
【図１】
0005975586.tif 000002
【図２】
0005975586.tif 000003
【図３】
0005975586.tif 000004
【図４】
0005975586.tif 000005
【図５】
0005975586.tif 000006
【図６】
0005975586.tif 000007
【図７】
0005975586.tif 000008
【図８】
0005975586.tif 000009